(57)【要約】【課題】排泄物によって汚染された部分を衛生的かつ簡易に交換可能とし、交換後のシートの縒れを防ぐことが可能な排泄物処理シートを提供することを目的とする。【解決手段】不透水シートからなる基材と、前記基材と易剥離に施着された不透水材と前記不透水材の施着面と反対側の面上に固着された吸収材とからなる交換材と、を有し、前記交換材は、前記基材の表面積よりも小さい面積で形成し、複数の前記交換材を前記基材の上面に施着して、前記基材と交換材とで積層構造を形成し、排泄物を吸収した交換材は、前記基材から外して新たな交換材を前記交換材が外された空間に装着可能とした。【選択図】図１
2014064535.tif 000002
【特許請求の範囲】
【請求項１】
不透水シートからなる基材と、前記基材と易剥離に施着された不透水材と前記不透水材の施着面と反対側の面上に固着された吸収材とからなる交換材と、を有し、
前記交換材は、前記基材の表面積よりも小さい面積で形成し、複数の前記交換材を前記基材の上面に施着して、前記基材と交換材とで積層構造を形成し、排泄物を吸収した交換材は、前記基材から外して新たな交換材を前記交換材が外された空間に装着可能としたことを特徴とする排泄物処理シート。
【請求項２】
前記吸収材は、排泄物を吸収する高吸収性ポリマーと硬化剤とを配合したものからなり、外表面は非水溶性の可燃性シートによって被覆されていることを特徴とする請求項１記載の排泄物処理シート。
【請求項３】
前記不透水材の施着面は、一部が前記基材に施着されていることを特徴とする請求項１または請求項２記載の排泄物処理シート。
【請求項４】
前記交換材の外形は前記基材と同一幅を有する矩形に形成され、前記複数の交換材は、各々交換材用切離手段を介して、基材の上面に前記基材の幅方向と直交する方向に配列結合され、
前記不透水材の施着面は、前記配列方向に対向する両辺部のみが施着されていることを特徴とする請求項３記載の排泄物処理シート。
【請求項５】
前記基材は、所定数の交換材が施着された単位ごとに、基材用切離手段を施して単位シートを形成したことを特徴とする請求項１から請求項４までのいずれかに記載の排泄物処理シート。
【請求項６】
前記単位シートは、基材用切離手段を介して連続的に繋がった長尺シートを形成し、前記長尺シートをロール状に巻回したことを特徴とする請求項５記載の排泄物処理シート。
【請求項７】
前記新たな交換材の不透水材に、再剥離可能な施着材が施されていることを特徴とする請求項１から請求項６までのいずれか１項に記載の排泄物処理シート。
【請求項８】
前記新たな交換材は、前記施着材を施さず、前記空間を形成する隣接した交換材によって挟持されることを特徴とする請求項１から請求項６までのいずれか１項に記載の排泄物処理シート。
【請求項９】
請求項１から請求項８までのいずれか１項に記載の交換材。
【発明の詳細な説明】
【技術分野】
【０００１】
本発明は、動物等の糞尿を吸収する排泄物処理シートに関するものである。
【背景技術】
【０００２】
動物、とくに、室内で飼育する犬などペット用の排泄物処理シートは、基材として用いる不透水性シートの上面に、糞尿（排泄物）を吸収する吸収材を介在させて、透水性シートを覆設したものが一般的であった。
【０００３】
しかし、排泄後の汚染された排泄物処理シートを放置すると、部屋内に悪臭が充満するため、排泄物処理シートに吸収可能な領域が多く残っている場合でも廃棄していた。排泄物処理シートが汚染される度に、シート全体を廃棄し、同じ場所に新たなシートを敷設するという作業を繰り返すのは、作業負担が大きく手間がかかっていた。
【０００４】
また、仮に、前記汚染されたシートを放置した場合、ペットが次に排泄する場所が前記汚染された箇所と同一の場合もあり、吸収材のキャパシティーを超える「ウェットバック現象」（尿の逆戻り）が生じ、ペットの足の裏に排泄物が付き、そのまま部屋内を歩くこともあった。この場合、部屋の床面が汚れ、衛生上も好ましくないという問題があった。
【０００５】
さらに、前記排泄物処理シートは、前記不透水性シートと透水性シートの辺縁部を熱溶着などで閉じて吸収材を収納しているため、前記汚染された部分を切り取って使用すると、内部の吸収材がこぼれ出し、排泄物処理シートとして機能しないという問題があった。
【０００６】
そこで、従来、複数枚の排泄物処理用シートを重ね且つ一部分で相互に固着し、前記排泄物処理用シートどうしを分離可能にしたペット排泄物処理用積層シートが提案されていた。これによれば、積層シートを所定の場所に固定した後、排泄物で汚染された上面のシートのみを切り取って廃棄すればよく、排泄物処理の作業負担を軽減することができた（特許文献１参照）。
【０００７】
また、透液性上面シート（透水性シート）不透液性下面シート（不透水性シート）との間に吸液性コア（吸収材）を介在させる愛玩動物用吸尿シート（排泄物処理シート）において、前記吸液性コアが所要パターンで間欠的かつ独立的に配列した複数のコア群からなり、該コア群の各コアの周囲において前記上下面シートが切断可能に接合している吸尿シートが提案されていた。これによれば、個々の吸収材で尿を吸収するため、上下面の透水性シート及び不透水性シートを、尿を吸収した吸収材の接合部分で切断することにより、汚れた吸収材だけを廃棄することができた（特許文献２参照）。
【０００８】
さらに、透水性シートと不透水性シートの多層構造を有する排泄物処理シートであって、長手方向にミシン目を等間隔に刻設し、ロール状に形成したものが提案されていた。上記ミシン目の間隔を細かく刻設すれば、必要な長さのシートを得られるため、効率的にシートを廃棄、補充することができた（特許文献３参照）。
【先行技術文献】
【特許文献】
【０００９】
【特許文献１】特開２０１０−１１９３１３号公報
【特許文献２】特開平８−１９３４４号公報
【特許文献３】実開平２−１２７１５５号公報
【発明の概要】
【発明が解決しようとする課題】
【００１０】
しかし、特許文献１記載の技術によれば、廃棄の際の作業負荷は、軽減されるが、部屋内に悪臭を充満させないようにするためには、シートのごく一部が排泄物で汚染された場合でも、切り取って廃棄しなければならず、費用効率が悪いという問題があった。
【００１１】
また、特許文献２記載の技術によれば、排泄物で汚染された部分だけを切り取って廃棄し、廃棄した箇所に同大の新たなシートを切り取って補充することができるので、前記費用効率の点で優れているものの、排泄時にペットがシート上を動き回ると、補充シートまたは被補充シートに縒れが生じて容易に隙間が形成され、その隙間に直接排泄されるおそれがあり、シートを敷設する床面を汚す結果、却って作業負荷が増大するおそれがあった。特許文献３記載の技術についても、所望の大きさに切り取ったシートを並べて敷設すれば、上記同様、縒れの問題が生じる。
【００１２】
さらに、汚れた部分のみを廃棄する場合、外表面に手が触れると、シートから排泄物が滲みだして手が汚れるという問題も生じていた。
【００１３】
そこで、本発明は、前記問題点に鑑みて、排泄物によって汚染された部分を衛生的かつ簡易に交換可能とし、交換後のシートの縒れを防ぐことが可能な排泄物処理シートを提供することを目的とする。
【課題を解決するための手段】
【００１４】
本発明にかかる排泄物処理シートは、不透水シートからなる基材と、前記基材と易剥離に施着された不透水材と前記不透水材の施着面と反対側の面上に固着された吸収材とからなる交換材と、を有し、
前記交換材は、前記基材の表面積よりも小さい面積で形成し、複数の前記交換材を前記基材の上面に施着して、前記基材と交換材とで積層構造を形成し、排泄物を吸収した交換材は、前記基材から外して新たな交換材を前記交換材が外された空間に装着可能としたことを最も主要な特徴とする。
【００１５】
この構成によれば、排泄物で汚染された部分のみの交換が可能であり、交換部分の下面に不透水シートが固着されているので汚染されている部分に触れずに交換材を交換することが可能になり、さらに、基材となる不透水材を敷設したままで交換が可能になる。
【００１６】
前記吸収材は、排泄物を吸収する高吸収性ポリマーと硬化剤とを配合したものからなり、外表面は非水溶性の可燃性シートによって被覆したものでもよい。吸収材をこのような構成にすることにより、尿を吸収した吸収材は、固形化する。
【００１７】
前記交換材は、基材側または交換材の不透水材側に再剥離可能な施着材を施すか、交換材を補充する空間を形成する両隣の交換材によって挟持することにより、排泄物処理シートの上面をペットが動き回っても、縒れが生じないように固定することが可能となる。
【発明の効果】
【００１８】
本発明にかかる排泄物処理シートは、交換材の下面に不透水材を固着することにより、排泄物で汚染された部分を直接触れることなく、交換することができるため、衛生的な交換が可能になるという効果を奏する。交換材は、排泄物を吸収すると固形化することも可能であるため、吸収した排泄物の量が多くても、交換時に滴り落ちることも防ぐことができる。
【００１９】
新たな交換材は、基材上で固定されるため、ペットがシート上面を動き回っても、縒れが生じず、さらに、交換材の下に基材が敷設されているため、床面を汚さず衛生的に使用することができるという効果も奏する。
【００２０】
さらに、最初に敷設位置を決めれば、交換材の交換時にも、基材は最初の敷設位置を確保しているので、あらためて最初からシートを敷設する場合に比べて、作業負荷が軽減されるという効果も奏する。
【図面の簡単な説明】
【００２１】
【図１】図１は本発明にかかる排泄物処理シートの斜視図である。
【図２】図２は本発明にかかる排泄物処理シートの側面図である。
【図３】図３は、単一の交換材と交換材が施着されている基材を示す部分拡大図である。
【図４】図４は、単位シートの側面図を示した図である。
【図５】図５は、本発明にかかる排泄物処理シートをロール状に巻回した状態を示した図である。
【図６】図６は、交換材の不透水材側に再剥離可能な施着材を施したものを示す図である。
【図７】図７は、交換材の不透水材側に施着材を施さないで、両端の交換材によって挟持固定することを示す図である。
【発明を実施するための形態】
【００２２】
図１及び図２を参照して、１は、本発明にかかる排泄物処理シートである。排泄物処理シート１は、最下面に不透水シートからなる基材１１と、基材１１の上面に易剥離に施着された不透水材１２と、不透水材１２の上面に固着された吸収材１２とからなる積層構造である。不透水材１２および吸収材１３は、後述するように、一体で交換材を形成し、排泄物を吸収して汚染された交換材は外して廃棄し、廃棄後に形成された空間に新たな交換材を装着することが可能な構成になっている。この交換材は、基材１１の表面積よりも小さい面積で形成され、基材１１上に複数施着されている。本実施の形態では、基材１１の短手方向長さと同長の長さを有する短冊状の矩形をなし、これを基材１１上に複数配列した。ただし、前記交換材は、基材１１の表面積より小さく、かつ、易剥離に施着しうるものであれば、本実施の形態で示した形状に限定する趣旨ではない。
【００２３】
基材１１は、不透水性を有するものであれば特に限定しない。たとえば、ポリエチレン、ポリプロピレン等の素材を使用したシート材であればよい。なお、環境のためには、可燃物処理可能な不透水性の素材を使用することが好ましい。
【００２４】
前記交換材の不透水材１２も基材１１と同じ素材であればよい。吸収材１３は、液状の排泄物を吸収する高吸水性ポリマー、たとえば、ポリアクリル酸ナトリウムなどを使用すればよい。なお、環境を配慮した場合は、生分解性を有する高分子吸収材を使用することが好ましい。吸収材１３は、外表面を非水溶性の可燃性材料であって、排泄物の透過を許容する材料、例えば、メッシュ紙等の被覆材によって被覆されている（図示せず）。したがって交換材は、不透水材１２と前記被覆材によって形成された閉じた空間内に吸収材１３を充填して形成したものであればよい。
【００２５】
ところで、吸収材１３は、吸収力のキャパシティーを超えるとウェットバック現象といって、排泄物が吸収材１３の表面に逆戻りする現象が生じる。さらに、ウェットバック現象が生じるほどの量の排泄物を吸収していない場合でも、廃棄時などに、傾けて持ち運ぶと、排泄物を吸収した吸収材１３が下方に偏在して自重により圧迫され、上記逆戻り現象と同様の現象が生じる場合もある。また、たとえば、ごみの収集までの間、ごみ箱等に排泄物を吸収したシートを積み重ねた状態で廃棄しておくと、上部のシートの重みで吸収材が圧迫され、上記同様、逆戻り現象を生じる可能性があり不衛生である。そこで、本発明では、上記高吸水性ポリマーに硬化剤を配合し、排泄物を吸収すると固形化するようにした。たとえば、ポリアクリル酸ナトリウムに粉のりを配合することで排泄物の吸収時に上記吸収材を硬化することが可能となる。さらに、硬化速度を上げるためには、エポキシを配合したものであってもよい。本発明では、後述するように、排泄物で汚染された交換材を順次交換していくので、汚染された交換材が多く発生するため、固形化することで上記衛生面の問題も解決することができる。
【００２６】
図３は、単一の交換材と交換材が施着されている基材を示す部分拡大図である。図３を使用して、排泄物で汚染されている交換材の交換方法を説明する。基材１１と不透水材１２とは、前記したように、交換のために易剥離に施着する必要がある。そこで、施着面は、全面ではなく一部が施着されていればよい。本実施の形態では、図１及び図２で説明した矩形の交換材の配列方向に対向する両辺部のみに施着部１４を施している。そして、施着されていない中間部は、基材１１側で下方向にわずかに湾曲し、不透水材１２側で上方向にわずかに湾曲するように形成されている。基材１１と不透水材１２の施着面をおのおのこのように形成することで、両者の中間部対向面には、わずかな隙間１５が形成される。吸収材１３が排泄物で汚染された場合、矢印Ｃ方向から、隙間１５に指を挿入し、上方向に剥がすように持ち上げれば、汚染された交換材だけを容易に取り出すことができる。
【００２７】
図４は、単位シートの側面図を示したものである。一般に、ペット用の排泄物処理シートは、縦横所定寸法の矩形のシートである。これは、シートを敷設するペット用トイレの枠体に合わせて数パターンの寸法が規格化されている。なお、この枠体の大きさは、犬の大きさによってパターン化して決められたものである。そこで、本発明にかかる排泄物処理シート１も、この規格のように、所定の寸法の基材１１上に施着され複数配列された交換材を一体として単位シートとする。単位シート上の複数の交換材は、ミシン目などの交換材用切離部１６を介して連結されている。交換材用切離部１６は、図３で説明した隙間１５に指を入れて切り取れる程度の施着強度を有している。一方、基材１１は、単位シートの大きさを決定するために、ミシン目などの基材用切離部１７を介して連続的に繋がっている。本実施の形態では、単位シートは、１枚の基材１１ａと該基材１１ａ上に配列された交換材が８本連結されたものとして構成され、さらに、基材用切離部１７を介して、別の基材１１ｂ上に複数の交換材が連結された別の単位シートが連続的に繋がっている。ただし、この形態に限定する趣旨ではなく、所定の規格の大きさに合わせて、１枚の基材１１の大きさと該基材１１上に連結される交換材の数を自在に決定すればよい。
【００２８】
上記のとおり、交換材用切離部１６と基材用切離部１７とは、数が一致しないが、これは、同一基材１１上、交換材を複数回交換することができることを意味する。すなわち、本発明にかかる排泄物処理シートは、単に、排泄物で汚染された箇所のみを交換するという構成ではなく、基材１１を敷設した状態のままで上部の交換材だけを交換するという構成になっている点で従来の部分的な交換が可能な排泄物処理シートと構成が異なる。このような構成にすることで、後述するように、交換された新たな交換材が、ペットが動き回ることによって生じる縒れなどを防ぐことができ、縒れによって生じる隙間から排泄物によって床面を汚すという不具合を阻止することができる。したがって、基材１１を含む単位シート全体の交換は、交換材の複数回の交換後に行われる。
【００２９】
なお、連続的に繋がった単位シートは、長尺になり収納性が悪い。そこで、図５で示すとおり、長尺の芯材Ｌに巻回してロール状排泄物処理シート１Ｒとしてもよい。なお、芯材Ｌの長手方向両端部を排泄物処理シート１の幅よりも大き目に形成して両端で突出させ、これを回転自在に軸支して、切離用カット材を有する収納ケースに収納すれば、利便性が向上する（図示せず）。
【００３０】
以下、図６から図７を使って交換材の実施例を説明する。なお、図１乃至図４と同じ構成のものは、同一の番号を付し、詳細な説明は割愛する。
【実施例１】
【００３１】
図６は、新たな交換材２の交換を示した図である。交換材２は、単位シートに最初から施着されている交換材と同様、不透水材２２と吸収材２３とを固着して積層させた構成になっている。不透水材２２の施着面には、再剥離可能な施着材２４が、前記最初から施着されている交換材の施着部分１４と同じ箇所に施されている。再剥離可能な施着材２４は、たとえば、アクリル系、ウレタン系の粘着剤などの化学的なもの、面ファスナーなどの物理的なものの何れであっても良い。
【００３２】
交換材２は、排泄物によって汚染された交換材を廃棄するために外した後、両隣の交換材によって形成された空間Ｓ１に、矢印方向Ａの方向に向かって挿入すればよい。不透水材２２が基材１１と接触したところで、吸収材２３の上面から軽く押圧すれば施着材２４が機能し、新たな交換材２と基材１１が施着固定される。したがって、施着後、犬などのペットが排泄時に、新たな交換材２の上面を含む排泄物処理シート１上を動き回っても、交換材の縒れなどが生じず、的確に交換材が排泄物を受けて吸収し、固形化させることができるので、隣接する交換材の境目から排泄物が侵入し、下方に流れ込むということはない。
【００３３】
なお、施着材２４は、前記排泄物によって汚染された交換材を外した後に、基材１１上に施着部１４に施着材など残存している場合でも施着可能なものとするか、施着部１４の施着材を施す箇所と施着材２４を施す箇所とが重ならないようにすればよい。
【実施例２】
【００３４】
図７は、新たな交換材３の交換を示した図である。交換材３も、交換材２同様、不透水材３２と吸収材３３とを固着して積層させた構成になっている。ただし、交換材３は、施着材を使用せずに固定する。交換材３も、排泄物によって汚染された交換材を廃棄するために外した後、両隣の交換材によって形成された空間Ｓ２に、矢印Ａ方向に向かって挿入すればよい。
【００３５】
ここで、空間Ｓ２は、交換材３の幅よりも、若干狭小になっている。交換材３は、排泄物の吸収前は前記した素材で形成されているため、弾力性があり、たとえば幅方向に収縮可能である。よって、狭小な空間Ｓ２に対して交換材３は、両隣の交換材の外力Ｆによって側面が押圧されながら摺動挿入される。交換材３が基材１１まで到達すると、前記外力Ｆと交換材３の応力で、両隣の交換材によって挟持固定される。
【００３６】
なお、交換材の交換箇所が、基材１１の端部の場合、交換材３を基材１１の端部を不透水材３２側で折り込んで、排泄物処理シート１の端部を交換材３で被覆するように処理すればよい。
【符号の説明】
【００３７】
１          排泄物処理シート
２，３，４  交換材  
１１        基材
１２        不透水材
１３        吸収材
１４        施着部
１５        隙間
１６        交換材用切離部
１７        基材用切離部
【図１】
2014064535.tif 000003
【図２】
2014064535.tif 000004
【図３】
2014064535.tif 000005
【図４】
2014064535.tif 000006
【図５】
2014064535.tif 000007
【図６】
2014064535.tif 000008
【図７】
2014064535.tif 000009